(57)【要約】【課題】移動等の際に持ち運び易い顕微鏡を提供する。【解決手段】本体２に設けた光学系によって標本の像を拡大して観察する顕微鏡は、使用の際に観察者と対向する面を正面とするときの背面側に設けられ、本体の重心よりも上方に位置する取っ手３を備えている。取っ手３の上面は、該上面と連なる本体の上面との間に段差を有する。重心を挟んで取っ手３と略対向する位置に設けられる指掛け２ｃを備えている。【選択図】図２
2011221104.tif 000002
【特許請求の範囲】
【請求項１】
本体に設けた光学系によって標本の像を拡大して観察する顕微鏡において、
使用の際に観察者と対向する面を正面とするときの背面側に設けられ、前記本体の重心よりも上方に位置する第１の保持手段を備えることを特徴とする顕微鏡。
【請求項２】
前記第１の保持手段の上面は、該上面と連なる前記本体の上面との間に段差を有することを特徴とする請求項１に記載の顕微鏡。
【請求項３】
前記重心を挟んで前記第１の保持手段と略対向する位置に設けられる第２の保持手段を備えることを特徴とする請求項１又は２に記載の顕微鏡。
【請求項４】
前記重心は、前記第１の保持手段と前記第２の保持手段とを結ぶ線分の下側に位置することを特徴とする請求項３に記載の顕微鏡。
【請求項５】
前記重心は、前記線分の近傍に位置することを特徴とする請求項４に記載の顕微鏡。
【請求項６】
前記第１の保持手段は、取っ手であることを特徴とする請求項１〜５のいずれか一つに記載の顕微鏡。
【請求項７】
前記第１の保持手段は、指掛けであることを特徴とする請求項１〜５のいずれか一つに記載の顕微鏡。
【請求項８】
前記第２の保持手段は、取っ手であることを特徴とする請求項３に記載の顕微鏡。
【請求項９】
前記第２の保持手段は、指掛けであることを特徴とする請求項３に記載の顕微鏡。
【発明の詳細な説明】
【技術分野】
【０００１】
本発明は、顕微鏡、特に、顕微鏡の本体形状に関する。
【背景技術】
【０００２】
顕微鏡は、対物レンズ、接眼レンズ、ステージ及び光源等を基本構成として備えており（例えば、特許文献１参照）、現在に至るまで様々なデザインのものが製作されている。しかし、顕微鏡は、どのようなデザインであっても顕微鏡としての性能と機能を適切に発揮して明瞭な像の観察を保証するため、本体の剛性を高める必要がある。このため、顕微鏡は、本体を金属によって構成しており、重量が大きいという特性を有している。
【先行技術文献】
【特許文献】
【０００３】
【特許文献１】特開平０６−１１６５１号公報
【発明の概要】
【発明が解決しようとする課題】
【０００４】
ところで、従来の顕微鏡は、設置位置を人力により移動させる場合、例えば、アームと本体との接続部を両側から把持し、或いは台座の左右底面を両側から左右それぞれの手で持つ等、適宜の部分を持って移動させており、移動等に伴う持ち運びの際に持ち難いという問題があった。
【０００５】
本発明は、上記に鑑みてなされたものであって、移動等の際に持ち運び易い顕微鏡を提供することを目的とする。
【課題を解決するための手段】
【０００６】
上述した課題を解決し、目的を達成するために、本発明の顕微鏡は、本体に設けた光学系によって標本の像を拡大して観察する顕微鏡において、使用の際に観察者と対向する面を正面とするときの背面側に設けられ、前記本体の重心よりも上方に位置する第１の保持手段を備えることを特徴とする。
【０００７】
また、本発明の顕微鏡は、上記の発明において、前記第１の保持手段の上面は、該上面と連なる前記本体の上面との間に段差を有することを特徴とする。
【０００８】
また、本発明の顕微鏡は、上記の発明において、前記重心を挟んで前記第１の保持手段と略対向する位置に設けられる第２の保持手段を備えることを特徴とする。
【０００９】
また、本発明の顕微鏡は、上記の発明において、前記重心は、前記第１の保持手段と前記第２の保持手段とを結ぶ線分の下側に位置することを特徴とする。
【００１０】
また、本発明の顕微鏡は、上記の発明において、前記重心は、前記線分の近傍に位置することを特徴とする。
【００１１】
また、本発明の顕微鏡は、上記の発明において、前記第１の保持手段は、取っ手であることを特徴とする。
【００１２】
また、本発明の顕微鏡は、上記の発明において、前記第１の保持手段は、指掛けであることを特徴とする。
【００１３】
また、本発明の顕微鏡は、上記の発明において、前記第２の保持手段は、取っ手であることを特徴とする。
【００１４】
また、本発明の顕微鏡は、上記の発明において、前記第２の保持手段は、指掛けであることを特徴とする。
【００１５】
ここで、本発明において、顕微鏡の本体とは、少なくとも接眼レンズの鏡筒、レボルバ、ステージ、及び準焦ハンドルを取り付ける対象を言うものとする。
【発明の効果】
【００１６】
本発明によれば、使用の際に観察者と対向する面を正面とするときの背面側に設けられ、顕微鏡の本体の重心よりも上方に位置する第１の保持手段を備えるので、第１の保持手段を持てば、顕微鏡を移動等する際に持ち運び易いという効果を奏する。
【図面の簡単な説明】
【００１７】
【図１】図１は、本発明の実施の形態に係る正立型の顕微鏡を正面右上方から見た斜視図である。
【図２】図２は、図１に示す顕微鏡の本体を正面右上方から見た斜視図である。
【図３】図３は、図１に示す顕微鏡の本体を背面左下方から見た斜視図である。
【図４】図４は、図３の取っ手近傍の拡大図である。
【図５】図５は、図２に示す顕微鏡の本体の右側面図である。
【図６】図６は、図５の取っ手と指掛けとを逆に配置した場合の不具合を説明する図である。
【図７】図７は、取っ手をハンドル状の取っ手とした例を示す本体の斜視図である。
【発明を実施するための形態】
【００１８】
以下、本発明の顕微鏡に係る実施の形態を図面を参照して詳細に説明する。なお、この実施の形態によりこの発明が限定されるものではない。
【００１９】
図１は、本発明の実施の形態に係る正立型の顕微鏡を正面右上方から見た斜視図である。図２は、図１に示す顕微鏡の本体を正面右上方から見た斜視図である。図３は、図１に示す顕微鏡の本体を背面左下方から見た斜視図である。図４は、図３の取っ手近傍の拡大図である。図５は、図２に示す顕微鏡の本体の右側面図である。
【００２０】
ここで、以下の説明においては、使用の際に観察者と対向する面を顕微鏡の正面とし、正面を基準として、例えば、顕微鏡の後方を顕微鏡の背面と呼ぶ。また、必要がある場合には、図１において、水平面内の互いに直交する矢印Ｘ方向をＸ軸方向、矢印Ｙ方向をＹ軸方向、Ｘ軸方向及びＹ軸方向に直交する矢印Ｚ方向をＺ軸方向と呼ぶ。
【００２１】
顕微鏡１は、図１に示すように、本体２に接眼ユニット４、レボルバ６及びステージ８が設けられている。
【００２２】
本体２は、顕微鏡１の各構成部材を支持する筐体であり、主にアルミ合金等の金属パーツの組み合わせにより構成されている。本体２は、図２に示すように、本体２の上部から正面側へ延出させて設けたアーム２ａと、本体２の下部から正面側へ延出させて設けたベース部２ｂとを有しており、本体２の背面の上部と下部にはそれぞれランプハウス（図示せず）が着脱自在に設けられている。
【００２３】
接眼ユニット４は、本体２の上部から正面側へ延出させて設けたアーム２ａの上面に着脱自在に取り付けられており、２つの接眼レンズ５を有している。
【００２４】
レボルバ６は、アーム２ａの下面に取り付けられており、対物レンズ７が着脱自在に取り付けられている。
【００２５】
ステージ８は、中央に標本を載置して光学的に観察するステージであり、本体２の正面に上下動自在設けたステージ受け９の上に水平に設けられ、レボルバ６と対向配置されている。ステージ８は、ベース２ｂの両側に設けた準焦ハンドル１１に操作されて上下動する。
【００２６】
以上のように構成される顕微鏡１は、ステージ８に標本を載置し、レボルバ６を操作して対物レンズ７を標本と対向させ、準焦ハンドル１１を回動操作しながら接眼レンズ５の焦点を合わせ、ステージ８上の標本を観察するものである。
【００２７】
このとき、本体２は、図１〜図３に示すように、アーム２ａの背面側に第１の保持手段である取っ手３が、アーム２ａの背面に対して突出して設けられ、ベース部２ｂの正面側の底面に第２の保持手段である指掛け２ｃが形成されている。なお、本体２は、図３に示すように、ベース部２ｂの背面側となる下部には、前記ランプハウスから出射された照明光が通過する透過穴２ｄが開口されている。
【００２８】
取っ手３は、図２，図３に示すように、アーム２ａに比べて幅狭であり、本体２の背面から後方に突出するように設けられている。取っ手３は、アーム２ａの上面と取っ手３の上面との間に段差を有している。取っ手３は、下面に凹部からなる指掛け３ａが設けられている。取っ手３は、このようにして本体２に設けることにより、顕微鏡１を持ち運ぶ際に運搬者の一方の手が容易に届くと共に、顕微鏡１を持ち運ぶ際の持つ位置として明確にされる。
【００２９】
指掛け２ｃは、図３に示すように、ベース部２ｂの正面側の底面に形成された凹部である。指掛け２ｃは、本体２の重心を挟んで取っ手３と略対向する位置に設けられている。
【００３０】
図５は、本体２の右側面図である。実施の形態１の顕微鏡１は、以上のようにアーム２ａの背面側に取っ手３が設けられ、重心Ｇ1を挟んで取っ手３と略対向する位置であるベース部２ｂの正面側の底面に指掛け２ｃが形成されている。このとき、Ｘ軸方向とＺ軸方向との平面内における本体２の重心Ｇ1は、図５に示すように、取っ手３と指掛け２ｃとの間の、取っ手３と指掛け２ｃとを結ぶ線分Ｌ1の下側であって、線分Ｌ1と接近した位置にある。このため、取っ手３を一方の手で把持し、指掛け２ｃに他方の手の指を掛けて持ち上げると、顕微鏡１を安定した状態で持ち運ぶことができる。
【００３１】
一方、図６は、上記とは逆に、アーム２ａの正面側の下面に指掛けＦUを設け、重心Ｇ1を挟んで指掛けＦUと略対向する位置であるベース部２ｂの背面側の底面に指掛けＦLを形成した本体２の右側面図である。指掛けＦU，ＦLをこのように配置した場合、ベース部２ｂの指掛けＦLは本体２の背面側、かつ、最下部に位置する。このため、顕微鏡１の正面に向き合った状態で、ベース部２ｂの指掛けＦLに手の指を掛けようとすると、背面側の最下部まで手を伸ばさなければならず、人間工学的な見地から無理な動きを強いられ、実施の形態１の場合に比べて指掛けＦLに手の指を掛け難い。
【００３２】
しかも、指掛けＦU，ＦLをこのように配置すると、実施の形態１に比べると、図６に示すように、重心Ｇ1が、取っ手３と指掛け２ｃとの間の、取っ手３と指掛け２ｃとを結ぶ線分Ｌ2の上側であって、線分Ｌ2から離れた位置に存在することとなる。このため、アーム２ａの指掛けＦUを一方の手で把持し、ベース部２ｂの指掛けＦLに他方の手の指を掛けて持ち上げると、重心Ｇ1が線分Ｌ2より上側に位置するため、不安定になり、顕微鏡１を持ち運び難くなる。
【００３３】
従って、第１の取っ手である取っ手３は、本体２の重心Ｇ1よりも上方であって、本体２の背面に設けること、また、第２の取っ手である指掛け２ｃは、本体２の重心Ｇ1を挟んで取っ手３と略対向する位置に設けることが望ましい。
【００３４】
なお、持ち運びの際に容易に手を掛けることができれば、図７に示すハンドル状の取っ手３Ａとし、両端に設けたねじ部をナットによって本体２に取り付けるようにしてもよい。取っ手３Ａとすると、取っ手３に比べて構造が簡単で簡易に製造することができる利点がある。
【００３５】
なお、本発明の顕微鏡は、少なくとも本体の背面側であって、本体の重心よりも上方に第１の保持手段が設けられていれば、本体の前面下部に第２の保持手段を設ける必要はないが、その際でも本体の重心を挟んで第１の保持手段と略対向する位置を持つことが望ましい。
【００３６】
また、実施の形態１，２は、第１の保持手段となる取っ手３，３Ａを本体２，２１の背面側に設けたが、顕微鏡の構成部品の配置によっては本体２，２１の背面側の側面に設けてもよい。また、第２の保持手段も、本体の重心を挟んで第１の保持手段と略対向する位置であれば、ベース部２ｂや台座２２の正面側の側面に設けてもよい。
【産業上の利用可能性】
【００３７】
以上のように、本発明の顕微鏡は、顕微鏡を持ち運ぶのに有用である。
【符号の説明】
【００３８】
１  顕微鏡
２  本体
２ｃ  指掛け
３  取っ手
３ａ  指掛け
３Ａ  取っ手
４  接眼ユニット
５  接眼レンズ
６  レボルバ
７  対物レンズ
８  ステージ
Ｇ1  重心
【図１】
2011221104.tif 000003
【図２】
2011221104.tif 000004
【図３】
2011221104.tif 000005
【図４】
2011221104.tif 000006
【図５】
2011221104.tif 000007
【図６】
2011221104.tif 000008
【図７】
2011221104.tif 000009